(57)【要約】【課題】サンプリングファクタや映像サイズ等の変換に伴う色再現性の低下を防止する。【解決手段】  遅延器２３２は、各偶数画素の色差値を１画素分遅延させる。選択器２３４ａ・２３４ｂは、偶数画素のブレンド係数値だけが０の場合には、共に遅延していない奇数画素の色差値を選択し、奇数画素のブレンド係数値だけが０の場合には共に遅延した偶数画素の色差値を選択し、何れのブレンド係数値も０でない場合には、一方が奇数画素、他方が偶数画素の色差値を選択する。選択器２３４ａ・２３４ｂの出力は加算器２３４により加算され、演算器２３６により１／２倍される。その結果、ブレンド係数値に応じて、偶数画素の色差値、奇数画素の色差値、または両者の平均の色差値が得られ、２画素の処理に対応する期間、ラッチ２３８に保持されて出力される。【選択図】図８
2007134883.tif 000002
【特許請求の範囲】
【請求項１】
輝度情報と色情報とを含み、少なくとも部分的な領域が他の映像に重ね合わされる映像の映像データに対して、色情報の数を減少させる所定の変換処理を施す映像データ変換装置であって、
各画素が、重ね合わされる領域の画素かどうかを判別する判別部と、
重ね合わされない領域の画素に対応する色情報を除外して、重ね合わされる領域の画素に対応する色情報を合成する色情報合成部と、
を備えたことを特徴とする映像データ変換装置。
【請求項２】
請求項１の映像データ変換装置であって、
前記所定の変換処理は、各画素に対応する色情報を含む映像データを、複数の画素に対応する共通の色情報を含む映像データに変換する処理であって、
前記色情報合成部は、前記複数の画素が何れも重ね合わされる領域の画素である場合に、各画素の色情報の平均を共通の色情報とする一方、前記複数の画素のうちの一部の画素が重ね合わされる領域の画素である場合に、その重ね合わされる領域の画素の色情報に基づいて共通の色情報を求めることを特徴とする映像データ変換装置。
【請求項３】
請求項１の映像データ変換装置であって、
前記判別部は、各画素のブレンド係数値に基づいて、上記判別をすることを特徴とする映像データ変換装置。
【請求項４】
請求項３の映像データ変換装置であって、
前記色情報合成部は、前記ブレンド係数値に応じた重み付けで、色情報を合成することを特徴とする映像データ変換装置。
【請求項５】
請求項１の映像データ変換装置であって、
前記所定の変換処理は、ＣＣＩＲ４：４：４形式の映像データをＣＣＩＲ４：２：２形式の映像データに変換する処理であることを特徴とする映像データ変換装置。
【請求項６】
請求項１の映像データ変換装置であって、
前記所定の変換処理は、映像を拡大または縮小する処理であって、
前記色情報合成部は、重ね合わされない領域の画素に対応する色情報をあらかじめ定められた所定の値、または装置の外部から指定された所定の値に置き換えて合成することを特徴とする映像データ変換装置。
【請求項７】
請求項６の映像データ変換装置であって、
さらに、重ね合わされない領域の画素に対応する輝度情報をあらかじめ定められた所定の値、または装置の外部から指定された所定の値に置き換えて、重ね合わされる領域の画素に対応する輝度情報を合成する輝度情報合成部を備えたことを特徴とする映像データ変換装置。
【請求項８】
請求項６および請求項７のうちの何れか１項の映像データ変換装置であって、
前記色情報合成部、または輝度情報合成部は、各画素のブレンド係数値が所定の閾値以下である画素の色情報または輝度情報を前記所定の値に置き換えて合成することを特徴とする映像データ変換装置。
【請求項９】
請求項１の映像データ変換装置であって、
前記色情報は、色差情報であることを特徴とする映像データ変換装置。
【請求項１０】
副映像データを復号し出力する映像データ変換装置であって、
所定の符号化コードによって符号化された副映像データを復号化するランレングスデコーダ部と、
所定の表示制御規則に従い符号化された副映像表示制御データのうち、ピクセルコントロールデータを復号化するピクセルコントロールデータデコーダ部と、
前記副映像表示制御データのうち、初期カラーコードと初期ブレンド係数値を復号し、各カラーコードに対応する輝度値および色差値を出力するコントローラ部と、
前記コントローラ部および前記ピクセルコントロールデータデコーダ部から入力されるカラーコードを保持し、前記ランレングスデコーダ部から入力される画素データを選択信号とし、該当する画素のカラーコードを出力するカラーコード変換部と、
前記コントローラ部および前記ピクセルコントロールデータデコーダ部から入力されるブレンド係数値を保持し、前記ランレングスデコーダ部から入力される画素データを選択信号とし、該当する画素のブレンド係数値を出力するブレンド係数値変換部と、
前記コントローラ部から入力される輝度・色差値を保持し、前記カラーコード変換部から入力されるカラーコード値に対応した輝度・色差値を出力する色テーブル変換部と、
前記ブレンド係数値変換部から入力されるブレンド係数値に応じて、前記色テーブル変換部から入力される輝度値および色差値を所定の固定値に置き換える色変換部と、
前記色変換部から入力される各画素の輝度値および色差値を水平方向に拡大または縮小するフィルタ部と、
前記フィルタ部から入力されるＣＣＩＲ４：４：４形式の映像データをＣＣＩＲ４：２：２形式の映像データに変換する変換部と、
を備えたことを特徴とする映像データ変換装置。
【請求項１１】
請求項１０の映像データ変換装置であって、
前記副映像データは、ランレングス方式で符号化されていることを特徴とする映像データ変換装置。
【請求項１２】
請求項１１の映像データ変換装置であって、
前記ランレングス方式は、ＤＶＤビデオ規格の副映像データに用いられているランレングス方式であることを特徴とする映像データ変換装置。
【請求項１３】
請求項１０の映像データ変換装置であって、
前記副映像表示制御データは、ＤＶＤビデオ規格に従い符号化されていることを特徴
【発明の詳細な説明】
【技術分野】
【０００１】
本発明は、主映像に合成される副映像などに対して、映像データのサンプリングファクタや映像サイズ等を変換する映像データ変換装置に関するものである。
【背景技術】
【０００２】
近年、映像信号と音声信号をデジタル符号化し多重化したデータを記録するＤＶＤ等の記録媒体（メディア）が急速に普及しつつある。ＤＶＤビデオ規格においては、主映像データとは別に、字幕などの副映像（ＳＰＵ）データを独立して記録できるよう定められている。
【０００３】
主映像データは、ＣＣＩＲ（International Radio Consultative Committee）４：２：２形式に準拠しており、１画素当たり８ビットの１つの輝度データと、２画素当たりで各々１つの８ビットの色差データＣｂ／Ｃｒで構成される。これに対して、副映像データは、ＣＣＩＲ４：４：４形式に準拠しており、１画素当たり８ビットの輝度データと、各々１つの８ビットの色差データＣｂ／Ｃｒで構成される。
【０００４】
主映像データと副映像データとを合成し表示する際には、４：２：２形式で合成し表示するのが一般的である。４：４：４形式で合成するには、主映像データを４：４：４形式へアップサンプリングする処理や演算器などの資源が多く必要となるからである。このために、４：４：４形式から４：２：２形式への変換、すなわち各画素に対応する色差データから、２画素ごとに共通の１つの色差データへの変換が行われる。
【０００５】
上記のような変換として、色差データの間引きを用いることもできるが、その場合、色差データが間引かれた画素は、他の画素の色差データによって表示されることになるため、原色（オリジナルの色）とは全く異なる色が生じることもある。そこで、互いに隣接する画素の色差データを平均化して、それらの画素の色を中間色にする技術が知られている（例えば、特許文献１参照。）。
【特許文献１】特開平 １０−２６２２６５号公報
【発明の開示】
【発明が解決しようとする課題】
【０００６】
しかしながら、上記のような従来の色差データを平均化する手法では、却って色再現性が低下することがあるという問題点を有していた。
【０００７】
すなわち、例えば映像の合成は、通常、副映像データにブレンド係数値を乗じて主映像データに加算することによって行われ、これにより、部分的な合成や半透明な合成を行えるようになっている。ところが、色差データを平均化すると、実際には合成されない画素などの色差データも、平均化によって他の画素の色差データに影響を与えてしまうことがある。それゆえ、合成結果に現れないはずの画素の色成分が副映像の端部などに残ってしまい、色再現性が低下してしまうことになる。また、同様の問題点は、画像を拡大や縮小するために複数画素の色差データが合成されるなどのフィルタ処理などが行われる場合にも生じる。
【０００８】
本発明は、上記問題点に鑑み、例えば、ＣＣＩＲ４：４：４形式に準拠した映像からＣＣＩＲ４：２：２形式への変換や、水平フィルタ処理などを行った副映像データと、主映像データとを合成して表示する際などに、原色と異なる色が発生することを抑制することを目的とする。
【課題を解決するための手段】
【０００９】
上記の課題を解決するため、本発明は、
輝度情報と色情報とを含み、少なくとも部分的な領域が他の映像に重ね合わされる映像の映像データに対して、色情報の数を減少させる所定の変換処理を施す映像データ変換装置であって、
各画素が、重ね合わされる領域の画素かどうかを判別する判別部と、
重ね合わされない領域の画素に対応する色情報を除外して、重ね合わされる領域の画素に対応する色情報を合成する色情報合成部と、
を備えたことを特徴とする。
【００１０】
これにより、重ね合わされる領域の画素に対応する色情報は合成されるので、色情報の欠落による色再現性の低下が防止されるとともに、重ね合わされない領域の画素に対応する色情報が他の画素の色に影響を与えることによる色再現性の低下も防止される。
【発明の効果】
【００１１】
本発明によれば、例えば、ＣＣＩＲ４：４：４形式に準拠した映像からＣＣＩＲ４：２：２形式への変換や、水平フィルタ処理などを行った副映像データを主映像データに合成して表示する際の副映像の端部などに、原色と異なる色が発生することを抑制することができる。
【発明を実施するための最良の形態】
【００１２】
以下、本発明の実施形態を図面に基づいて詳細に説明する。なお、以下の各実施形態において、他の実施形態と同様の機能を有する構成要素については同一の符号を付して説明を省略する。
【００１３】
《発明の実施形態１》
図１は、本発明の実施形態１の映像データ変換装置が適用された映像信号再生装置の要部の構成を示すブロック図である。同図において、
１００は、副映像（ＳＰＵ）データ復号部、
１１０は、副映像表示制御データにおけるピクセルコントロールデータ（ＰＸＣＤ）の入力端子、
１２０はランレングス方式で符号化された副映像データ（ＰＸＤ）の入力端子、
１３０は副映像データの輝度データおよび色差データの出力端子、
１４０は副映像データと主映像データの合成比率を表すブレンド係数値（コントラスト）の出力端子、
３１０は、主映像データの入力端子、
３２０は、主映像データと副映像データを合成する合成部、
３３０は主映像データと副映像データとの合成結果である輝度・色差信号を出力する出力端子である。
【００１４】
上記副映像データ復号部１００は、詳しくは、例えば図２に示すように構成されている。同図において、
１５０は、ＰＸＣＤ入力端子１１０より入力されたＰＸＣＤデータを復号するＰＸＣＤデコーダ部である。
【００１５】
１６０は、ＰＸＤ入力端子１２０より入力されたＰＸＤデータを復号するランレングスデコーダ部である。
【００１６】
１７０は、ランレングスデコーダ部１６０で復号された２ビットの画素データを４ビットのカラーコード値に変換するカラーコード変換部である。
【００１７】
１８０は、ランレングスデコーダ部１６０で復号された２ビットの画素データから、各画素の主映像と副映像の合成比率を示す４ビットのブレンド係数値に変換するブレンド係数値変換部である。
【００１８】
２００は、４ビットのカラーコード値をアドレスとする領域に後述するコントローラ部１９０から出力された輝度・色差値を格納して、輝度と色差の組を１色として１６色分の色テーブルを保持し、カラーコード変換部１７０から出力されるカラーコード値を各８ビットの輝度・色差値（Ｃｂ／Ｃｒ）に変換する色テーブル変換部である。
【００１９】
２１０は、ブレンド係数値変換部１８０から入力されるブレンド係数値に応じて、色テーブル変換部２００より入力される各画素の輝度・色差値を所定の固定値に置き換える色変換部である。
【００２０】
２２０は、副映像を水平方向に拡大・縮小処理（例えば９画素の領域を３画素の領域に縮小）するように、副映像データをフィルタ処理するフィルタ部である。
【００２１】
２３０は、副映像データをＣＣＩＲ４：４：４形式からＣＣＩＲ４：２：２形式へ変換する４２２変換部である。
【００２２】
１９０は、カラーコード変換部１７０に初期カラーコード値を設定し、ブレンド係数値変換部１８０に初期ブレンド係数値を設定し、色テーブル変換部２００にカラーコード値に対応させた輝度・色差値を設定し、４２２変換部２３０に後に詳述する４２２変換モード値（選択信号）を設定するコントローラ部である。
【００２３】
上記色変換部２１０は、具体的には、例えば図３に示すように構成されている。同図において、
２１２は、ブレンド係数値変換部１８０から入力されるブレンド係数値の各ビットの論理和演算を行う論理和部、
２１１は、上記ブレンド係数値が０でない（論理和演算の結果が０でない）場合には、色テーブル変換部２００から入力される輝度・色差値をそのまま出力する一方、ブレンド係数値が０（論理和演算の結果が０）の場合には、色テーブル変換部２００から入力される輝度・色差値に係わらず、所定の固定値を出力する判定部である。
【００２４】
上記固定値としては、例えば色差値が中間レベル、輝度値が黒レベルの値（より具体的には例えば輝度値＝０ｘ１０、色差値＝Ｃｂ＝Ｃｒ＝０ｘ８０：「０ｘ」は１６進表記を示す。）が用いられる。すなわち、このような固定値が出力されることによって、フィルタ部２２０で拡大・縮小処理が行われる際に、主映像との合成結果に現れないはずの画素の色成分が残ってしまうことによる色の劣化が防止される。
【００２５】
なお、上記のように輝度・色差値を固定値に置き換えるのに代えて、フィルタ部２２０でブレンド係数値が０でない画素の輝度・色差値だけを用いた演算が行われるようにしてもよいが、上記のような置き換えが行われる場合には、フィルタ部２２０に常に同じ動作をさせることができるので、構成の簡素化が容易になる。
【００２６】
また、４２２変換部２３０は、具体的には、例えば図４に示すように構成されている。同図において、
２３１〜２３３は、各輝度値（Ｙ）、または色差値（Ｃｂ／Ｃｒ）を１画素分遅延させる遅延器、
２３４ａ・２３４ｂ・２３５ａ・２３５ｂは、コントローラ部１９０から入力される選択信号に応じ、各色差値（Ｃｂ／Ｃｒ）について、１画素分遅延した値、または遅延していない値を選択する選択器、
２３４・２３５は、選択器２３４ａ・２３４ｂおよび選択器２３５ａ・２３５ｂから出力された色差値を加算する加算器、
２３６・２３７は、加算器２３４・２３５の出力を１／２にする演算器、
２３８，２３９は、演算器２３６・２３７の出力を保持するラッチである。
【００２７】
なお、上記のような構成に限らず、例えば、１画素分遅延した値、遅延していない値、および１画素分遅延した値と遅延していない値との平均値（加算および１／２倍した値）のうちの何れかが、３入力の選択器によって選択されるようにしたりしてもよい。
【００２８】
次に、この実施の形態１における映像信号再生装置の動作について説明する。
【００２９】
映像信号再生装置には、例えば図５に示すようなＳＰＵユニットデータが入力される。
【００３０】
コントローラ部１９０では、上記ＳＰＵユニットデータに含まれるサブピクチャ・ディスプレイ・コントロール・シーケンス・テーブル（ＳＰＵ＿ＤＣＳＱＴ）によって示される表示コマンドから、初期カラーコード値、および初期ブレンド係数値を解析し、それぞれをカラーコード変換部１７０、またはブレンド係数値変換部１８０に設定する。また、所定の色情報に基づいて、１６色分のカラーコード値に対応する輝度・色差値を色テーブル変換部２００に設定する。
【００３１】
また、ＰＸＣＤ入力端子１１０に、色・ブレンド係数値の変化情報が圧縮されたＰＸＣＤデータが入力されると、ＰＸＣＤデコーダ部１５０は、そのＰＸＣＤデータを復号し、カラーコード値の変化値をカラーコード変換部１７０へ設定する。またブレンド係数値の変化値をブレンド係数値変換部１８０へ設定する。
【００３２】
また、ＰＸＤ入力端子１２０にランレングス方式で符号化された副映像データが入力されると、ランレングスデコーダ部１６０はその副映像データを復号し、２ビットの画素データを出力する。
【００３３】
この２ビットの画素データは、カラーコード変換部１７０と、ブレンド係数値変換部１８０とへ入力され、それぞれ各４ビットのカラーコード値、またはブレンド係数値へ変換される。
【００３４】
カラーコード変換部１７０で変換されたカラーコード値は、色テーブル変換部２００へ入力され、ＣＣＩＲ４：４：４形式に準拠した各８ビットの輝度・色差値へ変換される。
【００３５】
色変換部２１０では、例えば図６に示すようなブレンド係数値および輝度・色差値の変換が行われる。すなわち、ブレンド係数値変換部１８０から入力されるブレンド係数値の各ビットの論理和部２１２による論理和演算の結果が０、つまりブレンド係数値が０であれば、判定部２１１は、色テーブル変換部２００より入力される輝度・色差値に係わらず、中間レベルの色差値および黒レベルの輝度値（輝度値＝０ｘ１０、色差値＝Ｃｂ＝Ｃｒ＝０ｘ８０）を出力する。一方、論理和部２１２の結果が１、つまりブレンド係数値が０以外であれば、判定部２１１は、色テーブル変換部２００より入力される輝度・色差値をそのまま出力する。
【００３６】
フィルタ部２２０は、色変換部２１０から出力された各画素の輝度・色差値に対して、水平拡大・縮小処理をする。具体的には、例えば図６に併せて示すように、水平方向の９画素分の輝度・色差値から３画素分の輝度・色差値が生成される。ここで、ブレンド係数値＝０の画素の場合、前記のように色変換部２１０から出力される輝度・色差値は輝度値＝０ｘ１０、色差値＝Ｃｂ＝Ｃｒ＝０ｘ８０とされるので、フィルタ部２２０から出力される輝度、色差値には元の輝度・色差値の影響は含まれない。したがって、ブレンド係数値＝０の画素の色成分がフィルタ処理後の画素へ与える影響が解消され、水平フィルタ処理する場合にも、本来ブレンド係数値＝０となり主映像との合成結果に現れないはずの画素の色成分が残ってしまうという問題は発生しない。
【００３７】
４２２変換部２３０は、フィルタ部２２０から入力された各輝度・色差値をＣＣＩＲ４:２:２形式に変換する。すなわち、例えば偶数画素とこれに続く奇数画素とが１組として処理されるとして説明すると、４２２変換部２３０に入力されて遅延器２３２・２３３で１画素分遅延した偶数画素の色差値と、次に入力された奇数画素の色差値は、コントローラ部１９０から出力される選択信号に応じて選択器２３４ａ・２３４ｂ…により選択される。選択された色差値は加算器２３４・２３５および演算器２３６・２３７により加算および１／２倍されて平均値が求められ、ラッチ２３８・２３９に保持されて、２画素に対応する期間、出力される。すなわち、選択器２３４ａ・２３４ｂ…によって、共に偶数画素もしくは奇数画素の色差値が選択されるか、または一方ずつが選択されるかに応じて、偶数画素、奇数画素、またはこれらの平均の色差値が２画素ごとに共通の色差値として出力される。
【００３８】
以上のように、水平フィルタ処理が行われる場合に、ブレンド係数値＝０である画素の色差値が所定の値に置き換えられることにより、画像の拡大・縮小処理をしないとすれば表示されない画素の色成分が水平フィルタ処理後の画素に残って主映像との合成結果に影響する（意図しない色が発生する）ことが抑制される。
【００３９】
《発明の実施形態２》
前記実施形態１の色変換部２１０に代えて、図７に示すように判定部６１１を備えた色変換部６１０が用いられてもよい。判定部６１１は、色テーブル変換部２００からの輝度・色差値を固定値に置き換えるかどうかの判断を、ブレンド係数値が０かどうかではなく、コントローラ部１９０から入力される閾値以下かどうかによって行うようになっている。また、置き換えられる固定値としても、あらかじめ定められた値ではなく、コントローラ部１９０から入力された値が用いられるようになっている。上記閾値や固定値は、例えばユーザの指示操作などに応じて与えられる。
【００４０】
これによって、ブレンド係数値が０でなくても、例えばブレンド係数値の最大値が２５５であるのに対してブレンド係数値が１などと小さい画素では、拡大・縮小などのフィルタ演算処理が行われない場合には、視覚上、主映像との合成結果にほとんど現れないため、そのような画素に対しても色差を置き換える方が、複数画素を用いてフィルタ処理を行った場合にその画素の色成分がフィルタ処理後の画素へ与える影響が低減され、主映像との合成結果として良好な画像が得られる。
【００４１】
また、色変換部６１０では、コントローラ部１９０より色変換を行う対象画素のブレンド係数値を任意に設定することが出来る。そこで、例えば、ユーザーの好みに応じた画質調整機能として、色変換を行う対象画素のブレンド係数値や色変換後の輝度・色差値を変更することができる。
【００４２】
なお、閾値と置き換えられる色差値とが両方ともコントローラ部１９０等から設定されるのに限らず、一方だけが設定されるようにしてもよい。
【００４３】
《発明の実施形態３》
実施形態３として、拡大・縮小処理時に加えて、ＣＣＩＲ４:２:２形式時の色の劣化が防止される映像データ変換装置の例を説明する。
【００４４】
実施形態３の映像データ変換装置は、実施形態１、２の映像データ変換装置と比べて、４２２変換部２３０に代えて、例えば図８に示すような遅延器４３０ａと、判定器４３０ｂとを備えた４２２変換部４３０が設けられている。この４２２変換部４３０には、コントローラ部１９０から選択信号が入力される代わりに、ブレンド係数値変換部１８０からブレンド係数値が入力され、これに基づいて、選択器２３４ａ・２３４ｂ…を制御する選択信号が生成されるようになっている。
【００４５】
より具体的には、遅延器４３０ａによって１画素分遅延した偶数画素のブレンド係数値α０と、その偶数画素に続く奇数画素のブレンド係数値α１とが判定器４３０ｂに入力されて選択信号が生成され、これに応じて、各選択器２３４ａ・２３４ｂ…によりそれぞれ偶数画素および／または奇数画素の色差値が選択される。
【００４６】
すなわち、図９、図１０に示すように、偶数画素のブレンド係数値が０の場合には、何れの選択器２３４ａ・２３４ｂ…によっても奇数画素の色差値が選択され、偶数画素および奇数画素に共通の色差値として出力される。同様に奇数画素のブレンド係数値が０の場合には、何れの選択器２３４ａ・２３４ｂ…によっても偶数画素の色差値が選択され、偶数画素および奇数画素に共通の色差値として出力される。また、偶数画素および奇数画素のブレンド係数値が何れも０でない場合には、選択器２３４ａ・２３４ｂ…によって偶数画素と奇数画素の色差値が選択され、これらの平均値が共通の色差値として出力される。
【００４７】
上記のように、偶、奇画素のブレンド係数値が２画素とも０でなければ色差値が平均され、情報の欠落がないので、色の劣化が低減される。また、一方のブレンド係数値が０であれば、他方の色差が共通の色差とされる。すなわち、そのような色差にされても、ブレンド係数値が０の画素は主映像に合成されないので問題ない一方、他方の画素は、その画素の色差自体が用いられるので、原色通りの表示が得られる。（なお、２画素ともブレンド係数値が０の場合は、何れの画素も表示されないので、どのような処理が行われてもよい。）したがって、ＣＣＩＲ４：４：４形式に準拠した画像をＣＣＩＲ４：２：２形式へ変換する際に、偶数画素と次の奇数画素との境界において、ブレンド係数値が０である画素の色成分が残ることがなく、主映像に合成されて表示される際に、合成境界前後（合成領域の端部）で、合成されない画素の色成分の影響を抑制して画質を向上させることができる。
【００４８】
《発明の実施形態４》
また、図１１に示すような４２２変換部５３０を用い、偶数画素と続く奇数画素のブレンド係数値から重み付け係数を計算し、その重み付け係数に従って４２２変換されるようにしてもよい。具体的には、４２２変換部５３０は、実施形態３と同じ遅延器４３０ａを備える一方、判定器４３０ｂおよび選択器２３４ａ等に代えて、判定器５３０ｂおよび演算器５４０・５４１を備えている。
【００４９】
判定器５３０ｂは、図１２に示すように、１画素分遅延した偶数画素のブレンド係数値α０と遅延していない奇数画素のブレンド係数値α１から重み付け係数β０、β１を求めて、演算器５４０・５４１へ出力するようになっている。より詳しくは、ブレンド係数値α０、α１がそれぞれ０であるかどうかに応じて、同図に（Ｃａｓｅ＃１〜３）として示すようなβ０、β１が求められる。
【００５０】
また、演算器５４０・５４１は、同図に併せて示すように、上記重み付け係数β０、β１に基づいて、２つの画素に共通の色差Ｃｂ、Ｃｒを算出するようになっている。
【００５１】
上記のような動的な４２２変換が行われることにより、実施形態３と同様に、ブレンド係数値が０である画素の色成分が、合成映像に影響を与えることはないとともに、さらに、ブレンド係数値が大きいほど、合成映像の色に与える影響を大きくできるので、色の再現性をより高くすることができる。
【００５２】
なお、上記各実施の形態で説明した構成要素は、論理的に可能な範囲でそれぞれ組み合わせてもよい。具体的には、例えば、実施形態１、２の色変換部２１０・６１０およびフィルタ部２２０を備えることなく、または色変換部２１０・６１０を伴わないフィルタ部２２０を備えるとともに、実施形態３、４の４２２変換部４３０・５３０を備えた映像データ変換装置を構成したりしてもよい。
【００５３】
また、水平方向の画素に関してフィルタ処理やサンプリングファクタの変換が行われる例を示したが、例えば垂直方向の拡大・縮小処理やＣＣＩＲ４：１：１形式への変換など、垂直方向の画素に関して同様の処理が行われるようにしてもよい。
【産業上の利用可能性】
【００５４】
本発明にかかる映像データ変換装置は、例えば、ＣＣＩＲ４：４：４形式に準拠した映像からＣＣＩＲ４：２：２形式への変換や、水平フィルタ処理などを行った副映像データを主映像データに合成して表示する際の副映像の端部などに、原色と異なる色が発生することを抑制することができるという効果を有し、主映像に合成される副映像などに対して、映像データのサンプリングファクタや映像サイズ等を変換する映像データ変換装置等として有用である。
【図面の簡単な説明】
【００５５】
【図１】実施形態１の映像データ変換装置が適用された映像信号再生装置の要部の構成を示すブロック図である。
【図２】同、副映像データ復号部１００の詳細な構成を示すブロック図である。
【図３】同、色変換部２１０の具体的な構成を示すブロック図である。
【図４】同、４２２変換部２３０の具体的な構成を示すブロック図である。
【図５】ＳＰＵユニットデータの例を示す説明図である。
【図６】同、色変換部２１０の動作を示す説明図である。
【図７】実施形態２の色変換部６１０の具体的な構成を示すブロック図である。
【図８】実施形態３の４２２変換部４３０の具体的な構成を示すブロック図である。
【図９】同、４２２変換部４３０の動作を示す説明図である。
【図１０】同、４２２変換部４３０のより具体的な動作を示す説明図である。
【図１１】実施形態４の４２２変換部５３０の具体的な構成を示すブロック図である。
【図１２】同、４２２変換部５３０の動作を示す説明図である。
【符号の説明】
【００５６】
１００      副映像データ復号部
１１０      ＰＸＣＤ入力端子
１２０      ＰＸＤ入力端子
１３０      副映像データ出力端子
１４０      ブレンド係数値出力端子
１５０      ＰＸＣＤデコーダ部
１６０      ランレングスデコーダ部
１７０      カラーコード変換部
１８０      ブレンド係数値変換部
１９０      コントローラ部
２００      色テーブル変換部
２１０      色変換部
２１１      判定部
２１２      論理和部
２２０      フィルタ部
２３０      ４２２変換部
２３１      遅延器
２３２      遅延器
２３３      遅延器
２３４      加算器
２３４ａ    選択器
２３４ｂ    選択器
２３５ａ    選択器
２３５ｂ    選択器
２３５      加算器
２３６      演算器
２３７      演算器
２３８      ラッチ
２３９      ラッチ
４３０      変換部
４３０ａ    遅延器
４３０ｂ    判定器
５３０      変換部
５３０ｂ    判定器
５４０      演算器
５４１    演算器
６１０      色変換部
６１１      判定部
【図１】
2007134883.tif 000003
【図２】
2007134883.tif 000004
【図３】
2007134883.tif 000005
【図４】
2007134883.tif 000006
【図５】
2007134883.tif 000007
【図６】
2007134883.tif 000008
【図７】
2007134883.tif 000009
【図８】
2007134883.tif 000010
【図９】
2007134883.tif 000011
【図１０】
2007134883.tif 000012
【図１１】
2007134883.tif 000013
【図１２】
2007134883.tif 000014